(57)【要約】【課題】ＷＢＧＡ実装方式による基板を樹脂封止するに際し、キャビティからの樹脂漏れを防止する。【解決手段】上型１５０と下型１６０の双方に樹脂１４０が充填されるキャビティ１５０Ａ、１６０Ａを有し、上型キャビティ１５０Ａから下型キャビティ１６０Ａへと樹脂１４０を案内可能な貫通孔１１２を有した基板１１０を上下金型１５０、１６０でクランプした上で基板１１０の両面を樹脂１４０にて封止する樹脂封止金型であって、下型１６０のクランプ面１６０Ｂに、下型キャビティ１６０Ａを取り囲む態様で少なくとも一組の凹凸部１６６を形成する。【選択図】図２
2008149677.tif 000002
【特許請求の範囲】
【請求項１】
第１の金型と第２の金型の双方に樹脂が充填されるキャビティを有し、当該第１の金型側のキャビティから当該第２の金型側のキャビティへと前記樹脂を案内可能な貫通孔を有した基板を該第１、第２の金型でクランプした上で当該基板の両面を樹脂にて封止する樹脂封止金型であって、
前記第２の金型のクランプ面には、前記キャビティを取り囲む態様で少なくとも一組の凹凸部が形成されている
ことを特徴とする樹脂封止金型。
【請求項２】
請求項１において、
前記凹凸部が、前記キャビティの周囲に途切れることなく形成されている
ことを特徴とする樹脂封止金型。
【請求項３】
請求項１又は２において、
前記凹凸部は、内周側に凹部が、外周側に凸部が配置されて形成されている
ことを特徴とする樹脂封止金型。
【請求項４】
請求項１乃至３のいずれかにおいて、
前記基板の表面に、電気的絶縁を保つレジスト層が設けられ、
前記凸部の最上部と前記クランプ面との高さの差が、前記レジスト層の厚み以下である
ことを特徴とする樹脂封止金型。
【請求項５】
請求項１乃至４のいずれかにおいて、
前記凹部の底と前記クランプ面との高さの差が、前記第２の金型における前記キャビティの厚み以下である
ことを特徴とする樹脂封止金型。
【発明の詳細な説明】
【技術分野】
【０００１】
本発明は、半導体チップ等が搭載された基板（被成形品）を樹脂にて封止するための技術分野に関する。
【背景技術】
【０００２】
従来、図４乃至図８で示したような樹脂封止が行われている（特許文献１参照）。
【０００３】
図４は、特許文献１に記載されている、ＷＢＧＡ（Ｗｉｎｄｏｗ  Ｂａｌｌ  Ｇｒｉｄ  Ａｒｒａｙ：ウィンドウ・ボール・グリッド・アレイ）実装方式による基板の概略構成図である。図５は、図４におけるV‐V線に沿う断面図である。図６は、図４におけるVI-VI線に沿う断面図である。図７は、特許文献１に記載されている、ＷＢＧＡ実装方式による基板を樹脂封止するための金型の概略断面図である。図８は、ＷＢＧＡ実装方式による基板の樹脂封止後の断面図である。
【０００４】
ＷＢＧＡ実装方式とは、半導体製品の小型化・軽量化・薄肉化の要請から生まれた実装方式であり、プリント基板１０の片面側に接着支持層３０を介して接着支持される半導体チップ２０から、基板１０に設けられたウィンドウ（貫通孔）１２を介して基板１０の裏面側へとボンディングワイヤ１４を実装する方式である（図４、図５参照）。なお、図面上、半導体チップ２０は単層であり、ボンディングワイヤ１４もウィンドウ１２を介して裏面側にのみ設けられているが、半導体チップを複層化し、基板１０の表面（図５における上面）側へもボンディングワイヤ１４が実装される場合もある。なお、符号１６は、はんだボールを取り付けるための取付部である。
【０００５】
このようなＷＢＧＡ実装方式による基板１０に対する樹脂封止は、当然のことながら、基板１０の両面側を樹脂にて封止する必要がある。これを実現するため、半導体チップ２０を接着支持層３０にて接着支持した状態で、半導体チップ２０と基板１０との間に、基板１０の表面側からウィンドウ１２へと繋がる隙間Ｇが形成されている（図６参照）。その結果、当該隙間Ｇ及びウィンドウ１２を経由して、基板１０の表面側を封止する樹脂が裏面側へと供給され、結果的に基板１０の両面を樹脂にて封止することが可能となっている。なお、この公知例では、基板に設けられたウィンドウ１２が基板１０の裏面側への樹脂の供給路として機能しているが、例えば、別途基板に供給路となる貫通孔が設けられる場合もある。
【０００６】
このようなＷＢＧＡ実装方式による基板１０を樹脂にて封止するための樹脂封止金型１を図７に示す。樹脂封止金型１は、上型５０と下型６０とからなり、当該上型５０と下型６０とで基板１０をクランプ可能に構成されている。なお、図示していないが、当該上型５０と下型６０にはプレス機構が連結されており、所定のタイミングで両金型５０、６０が接近、離反可能に構成されている。この樹脂封止金型１は、所謂「トランスファー方式」によって基板１０を樹脂封止する金型であり、図示せぬ樹脂供給機構（プランジャ、カル、ランナ等）によって、上型５０側に形成される上型キャビティ５０Ａに対して溶融した樹脂４０が供給される。下型６０側に形成される下型キャビティ６０Ａでは、前述のとおり、上型キャビティ５０Ａから隙間Ｇ及びウィンドウ１２を介して供給された樹脂４０によって樹脂封止されることとなる。
【０００７】
このようにして樹脂封止された結果、図８に示したような成形品（樹脂封止後の基板）８０が完成する。
【０００８】
【特許文献１】ＵＳ２００５／０２０８７０７  Ａ１
【発明の開示】
【発明が解決しようとする課題】
【０００９】
しかしながら、実際に樹脂封止を行うと、下型キャビティ６０Ａの周辺部から樹脂４０が漏れ出す場合があった。即ち、下型６０のクランプ面（パーティング面）に沿って、樹脂４０が毛細管現象等によって漏れ出してしまう。
【００１０】
発明者は、この原因が以下のような理由により生じるものであることを解明した。
【００１１】
ＷＢＧＡ実装方式では、樹脂供給部から直接樹脂が供給される側のキャビティ（上記でいう上型キャビティ５０Ａ）の面積が大きく、他方の（裏側の）キャビティ（上記でいう下型キャビティ６０Ａ）の面積は一般に小さい。換言すると、下型キャビティ６０Ａの位置は常に上型キャビティ６０Ａの投影面積内に位置していることとなる。即ち、下型キャビティ６０Ａの周囲部は、基板１０を介して上型５０に直接支持されているのではなく、流動体である樹脂４０を介して支持されているに留まっている。その結果、下型キャビティ６０Ａの周辺部は、上型キャビティ５０Ａと下型キャビティ６０Ａとの間に生じる「差圧」によって下型６０側へと押さえつけられるに留まり、樹脂漏れを防止できる程度の十分なクランプ圧力が生じていないことが原因と考えられた。
【００１２】
一方で、供給する樹脂４０の圧力を弱めることで樹脂漏れを防止することも可能であるが、これでは樹脂封止のための必要な品質を確保できない（例えばボイドの存在など）可能性が残る。
【００１３】
そこで本発明は、樹脂封止本来の品質の低下を招くことなく下型キャビティからの樹脂漏れを確実に防止することをその課題としている。
【課題を解決するための手段】
【００１４】
本発明は、第１の金型と第２の金型の双方に樹脂が充填されるキャビティを有し、当該第１の金型側のキャビティから当該第２の金型側のキャビティへと前記樹脂を案内可能な貫通孔を有した基板を該第１、第２の金型でクランプした上で当該基板の両面を樹脂にて封止する樹脂封止金型であって、前記第２の金型のクランプ面に、前記キャビティを取り囲む態様で少なくとも一組の凹凸部を形成することにより、上記課題を解決するものである。
【００１５】
このような構成を採用することによって、漏れ出そうとする樹脂を凹部により吸収可能としている（所謂バッファーゾーン）。更に、キャビティを取り囲む態様でクランプ面に凸部を設けることで、キャビティ周辺部に十分なクランプ圧が生じない場合でも、当該凸部が基板に食い込むことによって、確実に樹脂漏れを防止することが可能である。
【００１６】
又、前記凹凸部を、前記キャビティの周囲に途切れることなく形成すれば、より確実に樹脂漏れを防止することが可能である。
【００１７】
又、前記凹凸部を、内周側に凹部が、外周側に凸部が配置されて形成すれば、凹部による緩衝作用によって、凸部の漏れ防止機能をより確実なものとすることが可能である。
【００１８】
又、前記凸部の最上部と前記クランプ面との高さの差を、前記基板の表面に設けられた電気的絶縁を保つレジスト層の厚み以下に設定すれば、凸部が存在しても基板に致命的な損傷を与えることはなく、更に、柔らかいレジスト層に凸部が食い込むことで効果的に樹脂漏れを防止することが可能である。
【００１９】
又、前記凹部の底と前記クランプ面との高さの差を、前記第２の金型における前記キャビティの厚み以下に設定すれば、仮にキャビティから凹部に樹脂が流出した場合でも、当該流出部分の樹脂が、樹脂封止後の基板の厚みを超えて突出することがないため、事後の工程の弊害となることを避けることができる。即ち、当該流出部分を除去する工程を新たに設ける必要がない。
【発明の効果】
【００２０】
本発明を適用することにより、ＷＢＧＡ実装方式による基板を樹脂封止するに際し、キャビティからの樹脂漏れを確実に防止することができる。
【発明を実施するための最良の形態】
【００２１】
以下、添付図面を参照しつつ、本発明の実施形態の一例について詳細に説明する。
【００２２】
図１は、本発明の実施形態の一例を示す樹脂封止金型１００の概略断面図である。図２は、図１における矢示II部周辺の拡大図である。図３は、凹凸部（詳細は後述する）のその他の実施例を示す図である。
【００２３】
樹脂封止金型１００は、上型（第１の金型）１５０と下型（第２の金型）１６０とからなり、当該上型１５０と下型１６０とで基板１１０をクランプ可能に構成されている。なお、図示していないが、当該上型１５０と下型１６０にはプレス機構が連結されており、所定のタイミングで両金型を接近、離反可能に構成されている。又、両金型１５０、１６０には、樹脂を加熱するためのヒータ（図示しない）が備わっている。この樹脂封止金型１００は、所謂「トランスファー方式」によって基板１１０を樹脂封止する金型であり、図示せぬ樹脂供給機構（プランジャ、カル、ランナ等）によって、上型１５０側に形成される上型キャビティ１５０Ａに対して溶融した樹脂１４０が供給される。下型１６０側に形成される下型キャビティ１６０Ａには、背景技術にて説明した通り、半導体チップ１２０と基板１１０との間に設けられた隙間Ｇ（図１においては現れていない）及びウィンドウ（貫通孔）１１２を介して、上型キャビティ１５０Ａ側から供給された樹脂１４０によって樹脂封止されることとなる。
【００２４】
次に図２を参照しつつ、下型１６０のクランプ面１６０Ｂにおける下型キャビティ１６０Ａ周辺の構成について詳細に説明する。なお、図面においては、理解容易のため、各部の大きさの比率を誇張して表現している。
【００２５】
下型１６０のクランプ面１６０Ｂにおける下型キャビティ１６０Ａ周辺には、一組の凹凸部１６６が設けられている。この凹凸部１６６は、下型キャビティ１６０Ａの周囲を取り囲むような態様で、途切れることなく形成されている。また、この凹凸部１６６は、より下型キャビティ１６０Ａに近い側（即ち内側）に凹部１６２が形成され、更に、下型キャビティ１６０Ａから離れた側（即ち外側）に凸部１６４が形成されている。本実施形態では、基本的な態様として一組の凹凸部１６６としているが、金型のスペース的な余裕があり、樹脂漏れをより確実に防止したいような場合には、複数組の凹凸部として構成してもよいし、凹部１６２又は凸部１６４のみを追加した態様で構成してもよい。凹部１６２と凸部１６４との数は必ずしも等しくなくてもよく、最低一組の凹凸部１６６が存在する限り、種々のパターンで構成することが可能である。例えば図３（Ａ）に示すように、凹部１６２と凸部１６４の繰り返しを２度行うような態様で構成してもよい。又、同図（Ｂ）に示すように、凹部１６２を複数個（ここでは２つ）設けた後に１つの凸部１６４を設けてもよい。又、同図（Ｃ）に示すように、凹部１６２を１つ設けた後に複数の（ここでは２つの）凸部１６４を設けてもよい。又、同図（Ｄ）に示すように、２つの凹部１６２の間に凸部１６４を設けるように構成してもよい。いずれも、一組の凹凸部１６６を設けた場合に比べて、更に効果の高い樹脂漏れ防止機能を発揮することが可能である。
【００２６】
また、凹部１６２の深さ（下型１６０のクランプ面１６０Ｂと凹部１６２の底との差）Ｄ２は、下型１６０に設けられた下型キャビティ１６０Ａの厚みＤ１よりも小さくなるように構成されている。このような構成とすることで、仮に下型キャビティ１６０Ａから凹部１６２に樹脂１４０が流出した場合でも、当該流出部分の樹脂１４０が、樹脂封止後の基板１１０の厚みを超えて突出することがないため、事後の工程の弊害となることを避けることができる。即ち、当該流出部分を除去する工程を新たに設ける必要がない。
【００２７】
又、凸部１６４の高さ（凸部１６４の最上部と下型クランプ面１６０Ｂとの高さの差）Ｈ２が、基板１１０のレジスト層１１０Ｂの厚みＨ１以下となるように構成されている。このような高さに凸部１６４を設定することによって、凸部１６４が存在しても基板１１０に致命的な損傷を与えることはなく、更に、柔らかいレジスト層１１０Ｂに凸部１６４が食い込むことで効果的に樹脂漏れを防止することが可能である。又、この凸部１６４の高さＨ２は、基板の種類や使用する樹脂等によって適宜調整することが可能であるが、例えば、レジスト層１１０Ｂの厚みＨ１に対して１／３〜２／３程度とするのが望ましい。これは、発明者による実験の結果、基板１１０に与える損傷の程度と樹脂漏れ防止の程度とがうまくバランスする高さである。
【００２８】
次に、当該樹脂封止金型１００の作用について簡単に説明する。
【００２９】
上型１５０と下型１６０とが開いた状態で、図示せぬ搬送機構によって下型１６０上に半導体チップ１２０が搭載された基板１１０が供給される。その後、図示せぬプレス機構によって、両金型１５０、１６０が接近して型閉じされる。これにより、上型１５０と下型１６０とで基板１１０がクランプされる。このとき、下型キャビティ１６０Ａの周囲に設けられた凹凸部１６６の凸部１６４が、基板１１０のレジスト層に僅かに食い込むこととなる。
【００３０】
その後、図示せぬ樹脂供給機構（プランジャ、カル、ランナなど）から溶融した樹脂１４０が上型キャビティ１５０Ａ内へと供給される。上型キャビティ１５０Ａ内に充填された樹脂１４０は、基板１１０のウィンドウ（貫通孔）１１２に案内されて下型キャビティ１６０Ａ側へも移動する。この時点で、上型キャビティ１５０Ａと下型キャビティ１６０Ａには若干の圧力差（差圧）が生じる。具体的には、樹脂供給機構から直接樹脂１４０が供給されている上型キャビティ１５０Ａの圧力が高くなる。その結果、凸部１６４が更にレジスト層１１０Ｂ側へと食い込むこととなる。
【００３１】
樹脂供給機構により供給される樹脂１４０の圧力が所定の圧力となった時点で樹脂供給機構による樹脂供給は停止される。金型は内蔵されたヒータにより加熱されているので、その後、充填された樹脂１４０が硬化していく。その後、樹脂１４０がある程度硬化したタイミングを見計らって、型開きされる。その後、図示せぬ搬送機構によって樹脂封止された基板１１０が取り出され、次回の封止サイクルへと移行する。
【００３２】
このように本実施形態においては、下型キャビティ１６０Ａの周囲に凹凸部１６６を設けた構成を採用することによって、漏れ出そうとする樹脂をまず凹部１６２により吸収可能としている（所謂バッファーゾーン）。更に、凹部１６２により樹脂を吸収し切れない場合でも、下型キャビティ１６０Ａを取り囲む態様で下型１６０のクランプ面１６０Ｂに凸部１６４を設けることで樹脂漏れを防止している。又、かかる場合、下型キャビティ１６０Ａ周辺部に十分なクランプ圧が生じない場合でも、当該凸部１６４が基板１１０（のレジスト層１１０Ｂ）に食い込むことによって、確実に樹脂漏れを防止することが可能である。又、同時に、上下金型１５０、１６０のクランプ圧力を高めたり、供給する樹脂１４０の圧力を弱めることなく下型キャビティ１６０Ａからの樹脂漏れを確実に防止することが可能である。
【００３３】
なお、上記説明した実施形態においては、１の上型キャビティ１５０Ａに対応する下型キャビティ１６０Ａが単数であるが、対応する下型キャビティ１６０Ａが複数の場合でも同様に適用可能である。その場合は、一部又は全部の下型キャビティ１６０Ａの周囲に、同様の凹凸部を形成して構成する。
【産業上の利用可能性】
【００３４】
本発明は、半導体チップ等の樹脂封止装置用の金型として好適である。特に、ＷＢＧＡ（ウィンドウ・ボール・グリッド・アレイ）方式により実装された基板を樹脂封止するための金型への適用が望ましい。又、トランスファー成形のみならず、圧縮成形により樹脂封止する場合にも適用可能である。
【図面の簡単な説明】
【００３５】
【図１】本発明の実施形態の一例を示す樹脂封止金型１００の概略断面図
【図２】図１における矢示II部周辺の拡大図
【図３】凹凸部のその他の実施例を示す図
【図４】特許文献１に記載されている、ＷＢＧＡ実装方式による基板の概略構成図
【図５】図３におけるV‐V線に沿う断面図
【図６】図３におけるVI‐VI線に沿う断面図
【図７】特許文献１に記載されている、ＷＢＧＡ実装方式による基板を樹脂封止するための金型の概略断面図
【図８】ＷＢＧＡ実装方式による基板の樹脂封止後の断面図
【符号の説明】
【００３６】
１００…樹脂封止金型
１１０…基板
１１０Ａ…硬質層
１１０Ｂ…レジスト層
１１２…ウィンドウ
１１４…ボンディングワイヤ
１１６…はんだボール取付部
１２０…半導体チップ
１５０…上型（第１の金型）
１５０Ａ…上型キャビティ
１６０…下型（第２の金型）
１６０Ａ…下型キャビティ
１６２…凹部
１６４…凸部
１６６…凹凸部
Ｈ１…レジスト層厚
Ｈ２…凸部高さ
Ｄ１…下型キャビティ厚
Ｄ２…凹部深さ
【図１】
2008149677.tif 000003
【図２】
2008149677.tif 000004
【図３】
2008149677.tif 000005
【図４】
2008149677.tif 000006
【図５】
2008149677.tif 000007
【図６】
2008149677.tif 000008
【図７】
2008149677.tif 000009
【図８】
2008149677.tif 000010